(57)【要約】【課題】紙を媒体とした情報の流通状況を把握できる情報流通把握システム及び情報流通把握サーバを提供することを目的とする。【解決手段】紙を媒体とした情報の情報流通把握システムであって、情報の流通状況を利用者の識別子と対応付けて表したログの保管手段１３と、識別された利用者の識別子に対応する情報の流通状況を保管手段１３から取得して利用者の識別子に対応する情報の一覧及び情報の流通経路を解析する管理手段１２と、利用者の識別子に対応する情報の一覧及び情報の流通経路を利用者に提示するユーザインターフェース手段２１とを有することにより上記課題を解決する。【選択図】図７
2009100225.tif 000002
【特許請求の範囲】
【請求項１】
紙を媒体とした情報の流通状況を把握する情報流通把握システムであって、
前記情報の流通状況を利用者の識別子と対応付けて表したログの保管手段と、
識別された前記利用者の識別子に対応する前記情報の流通状況を前記保管手段から取得して前記利用者の識別子に対応する前記情報の一覧及び前記情報の流通経路を解析する管理手段と、
前記利用者の識別子に対応する前記情報の一覧及び前記情報の流通経路を利用者に提示するユーザインターフェース手段と
を有することを特徴とする情報流通把握システム。
【請求項２】
前記ログの保管手段は、前記情報の流通状況として、紙を媒体として情報の入力又は出力が行われる度に前記紙から検出される前記紙を一意に識別する紙識別情報と、前記紙を媒体として行われる情報の入力又は出力を表す処理情報とを、利用者の識別子と対応付けて表すことを特徴とする請求項１記載の情報流通把握システム。
【請求項３】
前記ログの保管手段は、前記紙を媒体として情報の入力が行われる度に前記紙から検出される前記紙を一意に識別する親紙識別情報と、前記紙を媒体として情報の出力が行われる度に前記紙から検出される前記紙を一意に識別する紙識別情報とを、利用者の識別子と対応付けて表すことを特徴とする請求項２記載の情報流通把握システム。
【請求項４】
前記情報の流通経路は、前記親紙識別情報及び前記紙識別情報の関係に基づいて解析されることを特徴とする請求項３記載の情報流通把握システム。
【請求項５】
前記紙識別情報又は前記親紙識別情報は、前記紙に備わっている情報であることを特徴とする請求項２乃至４何れか一項記載の情報流通把握システム。
【請求項６】
紙を媒体とした情報の流通状況を把握する情報流通把握サーバであって、
前記情報の流通状況を利用者の識別子と対応付けて表したログの保管手段と、
クライアントからの要求に基づき、識別された前記利用者の識別子に対応する前記情報の流通状況を前記保管手段から取得して前記利用者の識別子に対応する前記情報の一覧及び前記情報の流通経路を解析する管理手段と、
前記利用者の識別子に対応する前記情報の一覧及び前記情報の流通経路を前記クライアントに送信する送信手段と
を有することを特徴とする情報流通把握サーバ。
【発明の詳細な説明】
【技術分野】
【０００１】
本発明は、情報流通把握システム及び情報流通把握サーバに係り、特に紙を媒体とした情報の流通状況を把握する情報流通把握システム及び情報流通把握サーバに関する。
【背景技術】
【０００２】
近年では、ＩＴシステムの発達によって情報漏洩が広範囲に発生するようになり、大きな問題となっている。情報漏洩には電子文書による漏洩と紙文書による漏洩がある。電子文書による情報漏洩に対しては、ユーザ認証やアクセス制御といったセキュリティ技術により様々な対策がなされている。一方、紙文書による情報漏洩に対しては、対策が遅れている感が否めない。
【０００３】
従来、紙文書による情報漏洩に対する対策としては、マル秘スタンプの追加による心理的な抑止効果を期待する程度であった。また、印刷やコピー時に、いつ誰によって印刷やコピーがされたかという情報を出力用紙に付加する技術も提案されている（例えば特許文献１参照）。
【０００４】
また、ＩＴシステムの発達によって情報が広範囲に伝達されるようになった為、ある情報に携わったユーザ（利用者）は、セキュリティ目的だけでなく、その情報の流通状況を把握できることを望んでいた。
【特許文献１】特許第３２６５６２１号公報
【発明の開示】
【発明が解決しようとする課題】
【０００５】
従来、電子文書によって情報が漏洩又は伝達した場合は、その情報の漏洩（伝達）元及び漏洩（伝達）先をユーザ認証記録やアクセス制御記録，通信記録等から解析することも可能である。しかしながら、紙文書によって情報が漏洩又は伝達した場合は、その情報の漏洩（伝達）元及び漏洩（伝達）先を解析して流通状況を把握することができないという問題があった。
【０００６】
本発明は、上記の点に鑑みなされたもので、紙を媒体とした情報の流通状況を把握できる情報流通把握システム及び情報流通把握サーバを提供することを目的とする。
【課題を解決するための手段】
【０００７】
上記課題を解決するため、本発明は、紙を媒体とした情報の流通状況を把握する情報流通把握システムであって、前記情報の流通状況を利用者の識別子と対応付けて表したログの保管手段と、識別された前記利用者の識別子に対応する前記情報の流通状況を前記保管手段から取得して前記利用者の識別子に対応する前記情報の一覧及び前記情報の流通経路を解析する管理手段と、前記利用者の識別子に対応する前記情報の一覧及び前記情報の流通経路を利用者に提示するユーザインターフェース手段とを有することを特徴とする。
【０００８】
また、上記課題を解決するため、本発明は、紙を媒体とした情報の流通状況を把握する情報流通把握サーバであって、前記情報の流通状況を利用者の識別子と対応付けて表したログの保管手段と、クライアントからの要求に基づき、識別された前記利用者の識別子に対応する前記情報の流通状況を前記保管手段から取得して前記利用者の識別子に対応する前記情報の一覧及び前記情報の流通経路を解析する管理手段と、前記利用者の識別子に対応する前記情報の一覧及び前記情報の流通経路を前記クライアントに送信する送信手段とを有することを特徴とする。
【０００９】
なお、本発明の構成要素、表現または構成要素の任意の組合せを、方法、装置、システム、コンピュータプログラム、記録媒体、データ構造などに適用したものも本発明の態様として有効である。
【発明の効果】
【００１０】
本発明によれば、紙を媒体とした情報の流通状況を把握できる情報流通把握システム及び情報流通把握サーバを提供可能である。
【発明を実施するための最良の形態】
【００１１】
次に、本発明を実施するための最良の形態を、以下の実施例に基づき図面を参照しつつ説明していく。なお、本実施例では情報の一例として文書を例に説明しているが、如何なる情報であってもよい。
【００１２】
図１は文書流通把握システムの一実施例の構成図である。文書流通把握システムは情報流通把握システムの一例である。図１の文書流通把握システムは、追跡サーバ１０，クライアントＰＣ２０，プリンタ３０ａ，複合機３０ｂ〜３０ｅが、例えばＬＡＮ等のネットワーク経由でデータ通信可能に接続された構成である。
【００１３】
図１の文書流通把握システムでは、ユーザＡの操作によりクライアントＰＣ２０に保存されている電子文書がプリンタ３０ａから紙文書４０ａとして印刷され、ユーザＢの操作により紙文書４０ａがプリンタ３０ｂで紙文書４０ｂとしてコピーされ、ユーザＣの操作により紙文書４０ａがプリンタ３０ｃで紙文書４０ｃとしてコピーされ、ユーザＤの操作により紙文書４０ｂがプリンタ３０ｄで紙文書４０ｄとしてコピーされ、ユーザＥの操作により紙文書４０ｂがプリンタ３０ｅで紙文書４０ｅとしてコピーされている。
【００１４】
図１の文書流通把握システムは、上記のような印刷及びコピーが成された時に、ユーザＡが自分の携わった文書についての一覧を追跡サーバ１０からクライアントＰＣ２０に取得する。そして、図１の文書流通把握システムは、ユーザＡが自分の携わった文書についての一覧に含まれる一つの文書についての流通状況を追跡サーバ１０からクライアントＰＣ２０に取得することで、ユーザＡに文書の流通状況を把握させる例を示している。
【００１５】
図１の文書流通把握システムは、大別すると、記録ステップ及び追跡ステップに係る処理を行う。記録ステップは、文書が実際に流通した際、その追跡ログを記録するステップである。追跡ステップは、ユーザが今まで携わった文書について、流通状況を把握するステップである。
【００１６】
記録ステップは、プリンタ，複写機，スキャナ又は複合機等、紙文書に関する画像を取り扱う画像処理装置が、印刷，コピー又はスキャン等によって情報の媒体として使用される用紙を一意に識別する紙識別子と当該用紙に対する操作情報等とを関連付けて追跡ログとして記録するステップである。操作情報には、処理（印刷，コピー又はスキャン等）の内容，処理が行われた日時，操作を行ったユーザの識別情報（ユーザＩＤ等），後述の紙識別子及び親紙識別子，処理が行われた画像処理装置の識別情報（機器ＩＤ等）等、追跡ステップにおいて必要とされる情報が含まれる。
【００１７】
また、用紙の識別子は用紙より検出可能であることが必要である。なお、本実施例では紙文書と用紙という語句を区別して用いている。紙文書は、紙を媒体として伝達される文書（例えば文字、図形、写真（画像）等）である。用紙は、紙文書（情報）を伝達する為の媒体（記録媒体）となる紙である。したがって、用紙の識別子は、各用紙を一意に識別する情報をいい、同一の紙文書であっても、異なっている。
【００１８】
各画像処理装置は、用紙を媒体として紙文書の入力（スキャン）又は出力（印刷）が行われるたびに、紙文書の媒体とされた用紙の識別子及び操作情報等を追跡サーバ１０に適時送信する。追跡サーバ１０には、各画像処理装置より送信された用紙の識別子及び当該用紙に対する操作情報等が追跡ログとして蓄積される。
【００１９】
一方、追跡ステップは、ユーザが今まで自分が携わった紙文書について、その一覧及び流通経路をユーザに提示するステップである。追跡ステップは、ユーザを識別する為の識別情報に基づいて、記録ステップにおいて記録された追跡ログを検索することで、紙文書の流通経路として、紙文書の流通元（どこを流通してきたか）及び流通先（どこへ流通していったか）の少なくとも一方を解析するステップである。
【００２０】
図１の文書流通把握システムでは、ユーザＡに対して紙文書の流通経路を提示した場合が示されている。追跡サーバ１０は、ユーザＡを識別する為の識別子に基づいて、蓄積されている追跡ログを検索することにより紙文書の流通経路を解析し、その解析結果をクライアントＰＣ２０に送信する。クライアントＰＣ２０は、ディスプレイ等に解析結果を表示させる。したがって、ユーザＡは、今まで自分が携わった紙文書について、流通状況を把握できる。
【００２１】
（記録ステップ）
図２は記録ステップを実現する追跡ログ記録システムの一例のブロック図である。図２の追跡ログ記録システム１は、追跡サーバ１０及び画像処理装置の一例である複合機３０の機能ブロックを表している。以下では複合機３０においてユーザがコピー操作を行った際の処理の流れを説明する。
【００２２】
追跡ログ記録システム１は、インターネットやＬＡＮ等のネットワーク（有線又は無線の別は問わない）によって相互に接続された追跡サーバ１０と、一台以上の複合機３０とを含むように構成される。複合機３０は、図１のプリンタ３０ａ、複合機３０ｂ〜３０ｅ等の一例である。したがって、追跡ログ記録システム１の構成要素としては必ずしも複合機３０である必要はなく、プリンタ，複写機，スキャナ又はファクシミリ等でもよい。
【００２３】
本実施例では、あらかじめ用紙に備わっている特徴量（紙識別情報）として紙紋を利用する例を説明する。なお、紙紋データの検出及び照合に関しては、「Ｎａｔｕｒｅ  Ｖｏｌ４３６  ２８  Ｊｕｌｙ  ２００５号  Ｐ４７５」（以下、参考文献１という）に記載されているような技術を利用すればよい。
【００２４】
図２において、複合機３０は、ジョブ制御部３１と、操作情報収集部３２と、スキャン部３３ａ及び３３ｂと、印刷部３４と、追跡ログ作成部３５と、通信部３６とを含むように構成されている。なお、スキャン部３３ａ及び３３ｂの何れでもよい場合は、スキャン部３３と総称する。
【００２５】
図２の複合機３０を構成するジョブ制御部３１，操作情報収集部３２，スキャン部３３ａ及び３３ｂ，印刷部３４，追跡ログ作成部３５及び通信部３６等の各部は、複合機３０にインストールされたプログラムが、複合機３０のＣＰＵによって処理されることにより機能する。プログラムはネットワークを介してダウンロードされてもよいし、ＣＤ−ＲＯＭ，ＳＤメモリカード等の記録媒体５００よりインストールされてもよい。
【００２６】
ジョブ制御部３１は、ユーザより指示されたジョブ（コピー、印刷又はスキャン等）に関する処理全体の流れを制御する。操作情報収集部３２は、紙文書からの情報の入力又は紙文書への情報の出力に関する操作情報を収集する。例えば、操作（印刷、コピー又はスキャン等）が行われた日時、操作指示を行ったユーザのユーザＩＤ、複合機３０の機器ＩＤ等を収集する。
【００２７】
スキャン部３３ａは画像読取部３３１ａ及び紙紋検出部３３２ａ等より構成される。スキャン部３３ｂは画像読取部３３１ｂ及び紙紋検出部３３２ｂ等より構成される。画像読取部３３１ａと画像読取部３３１ｂとは、同様の機能である。また、紙紋検出部３３２ａと紙紋検出部３３２ｂとも同様の機能である。したがって、画像読取部３３１ａと画像読取部３３１ｂとを総称する場合は画像読取部３３１という。また、紙紋検出部３３２ａと紙紋検出部３３２ｂとを総称する場合は紙紋検出部３３２という。
【００２８】
画像読取部３３１は画像形成装置３０のスキャナを制御し、紙文書の情報（画像）を入力する（光学的に読み取る）。紙紋検出部３３２は、画像形成装置１０が備える紙紋検出器を制御し、スキャナによって紙文書が読み取られる際に、用紙の紙紋を紙紋検出器に検出させる。なお、紙紋検出器は紙の表面の植物繊維のランダムパターンである紙紋の凹凸を検出する。紙紋検出器は、用紙の表面の一部にレーザを照射し、その反射光の強度を検出する。ここで検出される情報が紙紋に相当する。
【００２９】
本実施例では、紙紋を紙文書の用紙を一意に識別する識別子として用いる。紙紋は人間の指紋のように用紙ごとに一意なパターンを形成するため、用紙を一意に識別するための識別子として適しているからである。紙紋は用紙に対して改めて加工等することによって当該用紙に付加されるものではなく、当該用紙が予め備えている特徴量であるという点においても、紙紋を識別子として用いるのは本発明の実施において好適である。なお、紙紋に関しては、参考文献１に詳しく記載されている。
【００３０】
なお、スキャン部３３が二つ記載されているのは、一般の複合機においてコンタクトガラスとＡＤＦ（Auto Document Feeder）とによって画像を読み取る為、二つのスキャナが搭載されているものが多いからである。したがって、スキャン部３３は、二つに限定されず、一つでも構わないし三つ以上存在してもよい。
【００３１】
印刷部３４は、画像描画部３４１及び紙紋検出部３４２等より構成される。画像描画部３４１は、画像形成装置１０のプロッタを制御して、出力（印刷）する出力（印刷）用紙に情報（画像）を出力する（印刷する）。紙紋検出部３４２は、画像が印刷される印刷用紙の紙紋を画像形成装置１０の紙紋検出器に検出させる。なお、スキャン部３３の紙紋検出部３３２と印刷部３４の紙紋検出部３４２とは、追跡ステップで用紙の異同が識別できるよう、常に用紙の同じ箇所から紙紋を検出できるように配置する。
【００３２】
例えば印刷やＡＤＦを用いたスキャンでは、用紙の搬送路の途中に紙紋検出器を設置して用紙の通過のタイミングに合わせて紙紋の検出を行うようにすればよい。また、コンタクトガラスを用いたスキャンの場合は、用紙の同じ箇所の紙紋を検出できるように紙紋検出器を設置すればよい。
【００３３】
追跡ログ作成部３５は操作情報収集部３２によって収集される操作情報と、スキャン部３３の紙紋検出部３３２によって検出されるスキャンされた用紙の紙紋及び印刷部３４の紙紋検出部３４２によって検出される印刷用紙の紙紋の少なくとも一方とに基づき、予め定められた形式で追跡ログを生成する。通信部３６は、ネットワークを介して追跡ログを追跡サーバ１０に送信する。
【００３４】
一方、追跡サーバ１０は、通信部１１と、追跡ログ管理部１２と、追跡ログ保管部１３とを含むように構成されている。通信部１１は、ネットワークを介して接続する各機器より追跡ログを受信する。追跡ログ保管部１３は、受信された追跡ログを追跡サーバ１０の記憶装置等に所定の形式で記録することにより、追跡ログを保管する。追跡ログ管理部１２は、追跡ログ保管部１３によって保管されている追跡ログに基づいて、一のユーザが携わった紙文書の流通経路を解析する。
【００３５】
図２の追跡サーバ１０を構成する通信部１１，追跡ログ管理部１２及び追跡ログ保管部１３等の各部は、追跡サーバ１０にインストールされたプログラムが、追跡サーバ１０のＣＰＵによって処理されることにより機能する。プログラムはネットワークを介してダウンロードされてもよいし、ＣＤ−ＲＯＭ，ＳＤメモリカード等の記録媒体５１０よりインストールされてもよい。
【００３６】
以下、図２の追跡ログ記録システムの処理手順について説明する。図３及び図４は追跡ログ記録システムによる追跡ログ記録処理を説明する一例のシーケンス図である。図３及び図４では、複合機３０において紙文書のコピーが指示された際に実行される追跡ログ記録処理について説明する。
【００３７】
なお、コピージョブは、紙文書から画像をスキャンするスキャン処理と、スキャンされた画像を印刷用紙へ印刷する印刷処理とから構成される。図３のシーケンス図はスキャン処理に対応する。図４のシーケンス図は印刷処理に対応する。スキャナ又はプリンタに関しては、それぞれ印刷処理又はスキャン処理を行わない装置であると考えれば、複合機３０と同様である為、説明を省略する。
【００３８】
ステップＳ１０１において、ユーザは紙文書が印刷されている用紙（原稿用紙）を複合機３０のＡＤＦ又はコンタクトガラスにセットし、操作パネルを操作してコピーの実行を指示する。ユーザからコピーの実行が指示されると、ジョブ制御部３１はステップＳ１０２に進み、画像読取部３３１に原稿用紙の読み取りを指示する。
【００３９】
ステップＳ１０３に進み、ジョブ制御部３１は紙紋検出部３３２に原稿用紙の紙紋検出を指示する。ジョブ制御部３１からの指示に応じ、画像読取部３３１はステップＳ１０４に進み、複合機３０のスキャナを制御し、原稿用紙から紙文書の画像を読み取る。画像読取部３３１は読み取った画像を示す画像データを生成し、その画像データを複合機３０のＨＤＤ等の記憶装置に保存する。ステップＳ１０６に進み、画像読取部３３１は、生成した画像データを一意に識別する情報（画像ＩＤ）を、ステップＳ１０２の読み取り指示に対する応答としてジョブ制御部３１に送信する。
【００４０】
一方、画像読取部３３１による画像の読み取りと並行して、ステップＳ１０７では紙紋検出部３３２が、複合機３０の紙紋検出器を制御し、原稿用紙の紙紋を検出する。紙紋検出部３３２はステップＳ１０８に進み、検出された紙紋をステップＳ１０３の紙紋検出指示に対する応答としてジョブ制御部３１に送信する。
【００４１】
ステップＳ１０９に進み、ジョブ制御部３１は操作情報の収集指示に伴って、処理の内容，原稿用紙より読み取られた画像データの画像ＩＤ及び原稿用紙より検出された紙紋を操作情報収集部３２に通知する。なお、処理の内容は、コピー操作の中のスキャンを表している。ステップＳ１１０に進み、操作情報収集部３２は、操作が行われた日時，操作指示を行ったユーザのユーザＩＤ，複合機３０の機器ＩＤ，ジョブＩＤ等を収集する。
【００４２】
ステップＳ１１１に進み、操作情報収集部３２は収集した操作が行われた日時，操作指示を行ったユーザのユーザＩＤ，複合機３０の機器ＩＤ，ジョブＩＤ等の情報と、ジョブ制御部３１より通知された処理の内容，原稿用紙より読み取られた画像データの画像ＩＤ及び原稿用紙より検出された紙紋等の情報とを合わせ、操作情報として追跡ログ作成部３５に送信する。なお、操作情報のうち、ユーザＩＤは、複合機３０の認証機能に基づいて取得すればよい。また、機器ＩＤは、複合機３０のＭＡＣアドレス、ＩＰアドレス又はシリアル番号等を用いればよい。
【００４３】
複合機３０の認証機能としては、ユーザＩ／Ｆ部を利用してユーザの識別情報（ユーザＩＤ及びパスワードなど）を入力させる方法、ＩＣカードを利用し、ＩＣカードに記録されているユーザの識別情報を入力させる方法等が考えられる。
【００４４】
ステップＳ１１２に進み、追跡ログ作成部３５は、操作情報収集部３２から受信した情報に基づいて、追跡ログを所定の形式によって生成する。ステップＳ１１３〜ステップＳ１１４に進み、追跡ログ作成部３５は生成した追跡ログを、コピー操作の中のスキャン処理のログとして、通信部３６経由で追跡サーバ１０に送信する。
【００４５】
複合機３０より追跡ログを受信すると、追跡サーバ１０の通信部１１はステップＳ１１５に進み、追跡ログを追跡ログ保管部１３に送信する。追跡ログ保管部１３は、受信した追跡ログを追跡サーバ１０のＨＤＤ等の記憶装置に保存する。
【００４６】
図５は、スキャン処理に係る追跡ログの一例を示す構成図である。図５の追跡ログＬ１は、操作が行われた時刻（又は日時）、操作を行ったユーザ名、操作の対象となった用紙の紙紋、処理の内容及び画像ＩＤ等を含む。図５の追跡ログＬ１は、図３のステップＳ１１６において保存されたものに対応する。
【００４７】
従って、追跡ログＬ１における紙紋［ハ］は原稿用紙より検出された紙紋を示す。処理の内容「Ｓｃａｎ（ｃｏｐｙ）」は、コピージョブのうちのスキャン処理を示す。画像ＩＤは原稿用紙より読み取られた画像データの画像ＩＤを示す。紙紋の［ハ］は便宜上、紙紋を表す情報の代わりに、紙紋を符号によって表現したものである。かかる表記は、以下においても同様とする。なお、追跡ログＬ１に、複合機３０の機器ＩＤを含めても良い。
【００４８】
スキャン処理が完了すると、ジョブ制御部３１はステップＳ１５１に進み、画像描画部３４１に画像ＩＤを通知することにより画像データの印刷を指示する。ステップＳ１５２に進み、ジョブ制御部３１は紙紋検出部３４２に印刷用紙の紙紋検出を指示する。
【００４９】
ジョブ制御部３１からの指示に応じ、画像描画部３４１はステップＳ１５３に進み、画像ＩＤに基づいて記憶装置より画像データを取得し、複合機３０のプリンタを制御して画像データを印刷用紙に印刷する。印刷が完了すると、画像描画部３４１はステップＳ１５４に進み、画像データの印刷が完了したことをジョブ制御部３１に送信する。
【００５０】
一方、画像描画部３４１による画像データの印刷と並行して、ステップＳ１５５では紙紋検出部３４２が、複合機３０の紙紋検出器を制御し、画像データが印刷される印刷用紙の紙紋を検出する。ステップＳ１５６に進み、紙紋検出部３４２は、検出された紙紋をステップＳ１５２の紙紋検出指示に対する応答としてジョブ制御部３１に送信する。
【００５１】
なお、画像描画部３４１による画像データの印刷用紙への印刷と、紙紋検出部３４２による印刷用紙からの紙紋の検出との順番に関しては、いずれが先でも又は同時でも構わないが、画像データの印刷前に印刷用紙より紙紋を検出する方が、トナーの付着による紙紋の変化の影響を受けないという点において好ましい。
【００５２】
ステップＳ１５７に進み、ジョブ制御部３１は操作情報の収集の指示に伴って、処理の内容，印刷用紙に印刷された画像データの画像ＩＤ及び印刷用紙より検出された紙紋を操作情報収集部３２に通知する。処理の内容はコピー操作の中の印刷を表している。操作情報収集部３２はステップＳ１５８に進み、操作が行われた日時、操作指示を行ったユーザのユーザＩＤ、複合機３０の機器ＩＤ，ジョブＩＤ等を収集する。
【００５３】
ステップＳ１５９に進み、操作情報収集部３２は収集した操作が行われた日時，操作指示を行ったユーザのユーザＩＤ，複合機３０の機器ＩＤ，ジョブＩＤ等の情報と、ジョブ制御部３１より通知された処理の内容，印刷用紙より読み取られた画像データの画像ＩＤ及び印刷用紙より検出された紙紋等の情報とを合わせ、操作情報として追跡ログ作成部３５に送信する。なお、ステップＳ１６０以降の処理は、図３のステップＳ１１２〜Ｓ１１６と同様であるため、説明を省略する。
【００５４】
図４の処理の結果、追跡ログサーバ１０の追跡ログ保管部１３には、図６に示されるような追跡ログが新たに追加される。図６は、印刷処理に係る追跡ログの一例を示す構成図である。図６の追跡ログＬ２を構成する項目は、図５の追跡ログＬ１と同様である。しかしながら、図５の追跡ログＬ１と図６の追跡ログＬ２とは各項目の値が異なっている。すなわち、紙紋［ニ］は、印刷用紙より検出された紙紋である。また、処理の内容「Ｐｒｉｎｔ（ｃｏｐｙ）」は、コピージョブのうちの印刷処理を示す。画像ＩＤは、印刷用紙に印刷された画像データの画像ＩＤを示す。
【００５５】
なお、一つのコピージョブに対してスキャン処理の追跡ログと印刷処理の追跡ログとを別々に記録しておくのは、例えばスキャンはしたものの紙詰まり等で印刷ができなかった場合であっても、あるユーザがコピーをしようとしたという事実を記録できるようにするためである。
【００５６】
一つのコピージョブに対してスキャン処理の追跡ログと印刷処理の追跡ログとを分ける場合は、二つの追跡ログの関連付けが維持されるように工夫する必要がある。例えば双方の追跡ログには同一のコピージョブのジョブＩＤを付加してもよい。ただし、コピー（複写）元の紙文書が複数枚の原稿用紙より構成されている場合や、一つの紙文書に基づいて複数部のコピーが指示される場合も考えられるところ、後述の追跡ステップでは用紙単位での関連付けを辿る必要があるため、用紙単位で複写元と複写先との関連付けが行われるよう、追跡ログが記録されることが望ましい。
【００５７】
本実施例ではかかる点を考慮し、スキャン処理の追跡ログと印刷処理の追跡ログとを関連付けるための情報として画像ＩＤを用いている。即ち、本実施例において、コピー元の紙文書が複数枚の原稿用紙より構成する場合、又は、同一原稿に対して複数部のコピーが指定された場合等は、例えば各原稿用紙がスキャンされるごとに、また、各印刷用紙に印刷されるごとに追跡ログを生成し、記録するようにすればよい。この場合は、各追跡ログに記録された、スキャンされた画像データの画像ＩＤ又は印刷された画像データの画像ＩＤによって、各追跡ログを用紙単位で関連付けることができる。また、スキャン処理の追跡ログと印刷処理の追跡ログとを関連付けるための情報としては、画像ＩＤの代わりに紙紋を用いてもよい。すなわち、各追跡ログに、コピー元の画像ＩＤの代わりに、コピー元の原稿用紙の紙紋を記録するようにしても同様の効果を得ることができる。
【００５８】
なお、コピージョブに関して、スキャン処理の追跡ログと印刷処理の追跡ログとを分けずに、複写元の原稿用紙及び複写先の印刷用紙の組み合わせの単位で追跡ログを構成するようにしてもよい。この場合、同一の追跡ログに含まれていることが複写元と複写先との関連付けになるため、画像ＩＤによる関連付けは不要となる。
【００５９】
なお、図３及び図４のシーケンス図においては、コピージョブが指示された場合について説明したが、単なるスキャン（すなわち、紙文書を電子データとして保存する処理）が指示された場合、図３の処理を行えばよく、単なる印刷（すなわち、電子データの印刷を行う処理）が指示された場合、図４の処理を行えばよい。
【００６０】
（追跡ステップ）
追跡ステップは、ユーザが今まで携わった文書について流通状況を把握するステップである。ユーザが今まで携わった文書の流通状況を把握するためのクライアントＰＣ２０にはユーザを区別する為の手段が必要である。ユーザを区別する為の手段は、例えばユーザＩ／Ｆ部を利用してユーザの識別情報（ユーザＩＤ及びパスワードなど）を入力させる手段、ＩＣカードを利用し、ＩＣカードに記録されているユーザの識別情報を入力させる手段等が考えられる。ここでは、ユーザを区別する為の手段としてＩＣカードを利用する例について説明する。
【００６１】
図７は、追跡ステップを実現する情報追跡システムの一例のブロック図である。図７の情報追跡システム２では、図２の追跡ログ記録システム１と同一部分について同一符号を付し、その説明を省略する。
【００６２】
図７の情報追跡システム２は、インターネットやＬＡＮ等のネットワークによって相互に接続された追跡サーバ１０と、クライアントＰＣ２０とを含むように構成される。図７において、クライアントＰＣ２０は、ユーザインターフェース（Ｉ／Ｆ）部２１と、利用者識別部２２と、追跡処理部２３と、通信部２４とを含むように構成されている。図７のクライアントＰＣ２０を構成するユーザＩ／Ｆ部２１，利用者識別部２２，追跡処理部２３及び通信部２４等の各部は、クライアントＰＣ２０にインストールされたプログラムがクライアントＰＣ２０のＣＰＵによって処理されることで機能する。なお、プログラムはネットワークを介してダウンロードされてもよいし、ＣＤ−ＲＯＭ，ＳＤメモリカード等の記録媒体５２０よりインストールされてもよい。
【００６３】
ユーザＩ／Ｆ部２１はクライアントＰＣ２０の入力装置（キーボードやマウス等）を介した情報の入出力に関する制御を行う。利用者識別部２２は、ＩＣカード読取装置等を制御し、ユーザの提示したＩＣカードから利用者情報（ユーザの識別情報）を読み出す。
【００６４】
追跡処理部２３は、追跡サーバ１０に対してユーザが今まで携わった文書の一覧を要求するメッセージ（一覧リクエスト）の作成や、追跡サーバ１０に対して流通経路の解析を要求するメッセージ（解析リクエスト）の作成や、一覧リクエストに応じて追跡サーバ１０より返信される文書一覧を表示させる為の処理や、解析リクエストに応じて追跡サーバ１０より返信される解析結果を表示させるための処理等を行う。通信部２４は追跡サーバ１０との通信を制御する。
【００６５】
図８は情報追跡システムによる情報追跡処理を説明するためのシーケンス図である。ステップＳ２０１では、ユーザがクライアントＰＣ２０上にあるアプリケーションのユーザＩ／Ｆ部２１を利用して、ユーザが今まで携わった文書の一覧を取得する指示を出す。
【００６６】
ステップＳ２０２に進み、ユーザＩ／Ｆ部２１はユーザが今まで携わった文書一覧の取得実行を追跡処理部２３に指示する。ステップＳ２０３に進み、追跡処理部２３はユーザを識別する利用者情報の取得を利用者識別部２２に指示する。
【００６７】
ステップＳ２０４に進み、利用者識別部２２はＩＣカード読取装置等を制御し、ユーザの提示したＩＣカードから利用者情報を取得する。ステップＳ２０５に進み、利用者識別部２２は取得した利用者情報を追跡処理部２３に返信する。ステップＳ２０６に進み、追跡処理部２３は利用者識別部２２から受信した利用者情報に基づいて、一覧リクエストを作成する。ステップＳ２０７に進み、追跡処理部２３は作成した一覧リクエストを通信部２４経由で追跡サーバ１０へ送信する。
【００６８】
ステップＳ２０８に進み、追跡サーバ１０の追跡ログ管理部１２は受信した一覧リクエストに従い、追跡ログ保管部１３に保存されている追跡ログから利用者情報により識別したユーザに関連する追跡ログを検索する。ステップＳ２０９に進み、追跡ログ管理部１２は検索した追跡ログに基づき、その追跡ログ一つ一つについて経路を解析し、元が同じ紙文書の追跡ログを削除していくことで文書一覧を作成する。
【００６９】
図９は、追跡ログ保管部に保存されている追跡ログの一例を表した構成図である。図９の追跡ログからユーザＡに関連する追跡ログを検索して抽出すると、図１０に示す構成図のようになる。図１０は、図９の追跡ログからユーザＡに関連する追跡ログを検索して抽出した例を表した構成図である。
【００７０】
追跡ログ管理部１２は、ステップＳ２０８，Ｓ２０９の処理を例えば図１１に示すようなフローチャートに従って行う。図１１は追跡ログ管理部が行う文書一覧生成処理の一例を示すフローチャートである。
【００７１】
ステップＳ２５１に進み、追跡ログ管理部１２は受信した一覧リクエストに従い、追跡ログ保管部１３に保存されている追跡ログから利用者情報により識別したユーザに関連する追跡ログを検索する。
【００７２】
ステップＳ２５２に進み、追跡ログ管理部１２は検索した追跡ログから同じ親紙識別子を持つ追跡ログを検索する。追跡ログ管理部１２は、同じ親紙識別子を持つ追跡ログのうち一番古い追跡ログを残し、他の追跡ログを削除する。
【００７３】
ステップＳ２５３に進み、追跡ログ管理部１２はステップＳ２５２の処理後、追跡ログから同じ日時を持つ追跡ログを検索する。追跡ログ管理部１２は、同じ日時を持つ追跡ログのうち同じ日時を持つ追跡ログを１件残し、他の追跡ログを削除する。以下、追跡ログ管理部１２はステップＳ２５２，Ｓ２５３の処理により削除されなかった追跡ログを一つずつ読み出し、ユーザの追跡ログが無くなるまでステップＳ２５４〜Ｓ２５８の処理を繰り返し行う。
【００７４】
ステップＳ２５４に進み、追跡ログ管理部１２は読み出した追跡ログに親紙識別子が無いかを判定する。読み出した追跡ログに親紙識別子が有ると判定すれば、追跡ログ管理部１２はステップＳ２５８に進み、読み出した追跡ログを文書一覧に追加する。読み出した追跡ログに親紙識別子が無いと判定すれば、追跡ログ管理部１２はステップＳ２５５に進み、親紙識別子の値を検索キーに設定する。
【００７５】
ステップＳ２５６に進み、追跡ログ管理部１２は図１２のフローチャートに従って２重ログチェック処理を行う。図１２は２重ログチェック処理の一例を示すフローチャートである。
【００７６】
ステップＳ２６１に進み、追跡ログ管理部１２は追跡ログ保管部１３に保存されている追跡ログから、検索キーとして設定された親紙識別子の値と同じ紙識別子の追跡ログを検索する。ステップＳ２６２に進み、追跡ログ管理部１２はステップＳ２６１で検索した追跡ログのユーザが利用者情報により識別したユーザ（対象ユーザ）と同じであるか否かを判定する。
【００７７】
ステップＳ２６１で検索した追跡ログのユーザが対象ユーザと同じであれば、追跡ログ管理部１２はステップＳ２６７に進み、２重ログと判定した後、図１２に示した２重ログチェック処理を終了する。
【００７８】
ステップＳ２６１で検索した追跡ログのユーザが対象ユーザと同じでなければ、追跡ログ管理部１２はステップＳ２６３に進み、ステップＳ２６１で検索した追跡ログの親紙識別子が無いかを判定する。
【００７９】
ステップＳ２６１で検索した追跡ログの親紙識別子が無ければ、追跡ログ管理部１２はステップＳ２６５に進み、文書一覧に同じ追跡ログがあるか否かを判定する。文書一覧に同じ追跡ログがあれば、追跡ログ管理部１２はステップＳ２６７に進み、２重ログと判定した後、図１２に示した２重ログチェック処理を終了する。なお、文書一覧に同じ追跡ログがなければ、追跡ログ管理部１２はステップＳ２６６に進み、２重ログでないと判定した後、図１２に示した２重ログチェック処理を終了する。ステップＳ２６１で検索した追跡ログの親紙識別子が有れば、追跡ログ管理部１２はステップＳ２６４に進み、ステップＳ２６１で検索した追跡ログの親紙識別子の値を検索キーに設定したあと、ステップＳ２６１の処理に戻る。
【００８０】
図１１のフローチャートに戻り説明を続ける。ステップＳ２５６に続いてステップＳ２５７に進み、追跡ログ管理部１２は２重ログチェック処理に基づき、読み出した追跡ログが２重ログでないか判定する。読み出した追跡ログが２重ログでなければ、追跡ログ管理部１２はステップＳ２５８に進み、読み出した追跡ログを文書一覧に追加する。読み出した追跡ログが２重ログであれば、追跡ログ管理部１２は読み出した追跡ログを文書一覧に追加しない。
【００８１】
図８のシーケンス図に戻り説明を続ける。ステップＳ２０９に続いてステップＳ２１０に進み、追跡サーバ１０の追跡ログ管理部１２は作成した文書一覧を通信部１１経由でクライアントＰＣ２０へ送信する。
【００８２】
ステップＳ２１１に進み、クライアントＰＣ２０上にあるアプリケーションの追跡処理部２３は受信した文書一覧の紙識別子を一時保存する。ステップＳ２１２に進み、追跡処理部２３は受信した文書一覧をユーザが見やすい形に視覚化する。そして、ステップＳ２１３に進み、追跡処理部２３は文書一覧をユーザＩ／Ｆ部２１に表示する。ステップＳ２１４では、ユーザがユーザＩ／Ｆ部２１に表示された図１３に示すような文書一覧を確認する。図１３はユーザＡが今まで携わった文書を表した文書一覧のイメージ図である。
【００８３】
ステップＳ２１５に進み、ユーザはクライアントＰＣ２０の入力装置を介して図１３のような文書一覧から流通状況を把握したい文書を選択することでユーザＩ／Ｆ部２１へ解析内容を設定する。ステップＳ２１６に進み、ユーザはステップＳ２１５で設定した解析内容の解析指示をユーザＩ／Ｆ部２１に対して行う。
【００８４】
ステップＳ２１７に進み、ユーザＩ／Ｆ部２１はユーザによって設定された解析内容の解析指示を追跡処理部２３に対して行う。ステップＳ２１８に進み、追跡処理部２３はステップＳ２１１で一時保存した文書一覧の紙識別子からユーザによって解析指示された文書の紙識別子を検索する。続いて、追跡処理部２３はステップＳ２１９に進み、ユーザによって解析指示された文書の紙識別子を含めて解析リクエストを作成する。ステップＳ２２０に進み、追跡処理部２３は解析リクエストを通信部２４経由で追跡サーバ１０に送信する。
【００８５】
追跡サーバ１０の通信部１１は解析リクエストを受信すると、当該解析リクエストを追跡ログ管理部１２に出力する。ステップＳ２２１に進み、追跡ログ管理部１２は追跡ログを用いて解析リクエストに応じた流通経路の解析を行う。ステップＳ２２２に進み、追跡ログ管理部１２は流通経路の解析結果をクライアントＰＣ２０に返信する。なお、流通経路の解析処理の詳細については後述する。
【００８６】
クライアントＰＣ２０の追跡処理部２３は、返信された流通経路の解析結果をユーザが見やすい形に視覚化する。ステップＳ２２４に進み、追跡処理部２３は流通経路の解析結果をユーザＩ／Ｆ部２１に表示する。ステップＳ２２５では、ユーザがユーザＩ／Ｆ部２１に表示された流通経路の解析結果を確認できる。
【００８７】
図１４は流通経路の解析結果の表示例を示すイメージ図である。図１４のイメージ図は以下の内容を示す解析結果の表示例である。なお、図１４中、Ａ〜Ｄはユーザを示す。Ｐ１〜Ｐ５は紙文書を示す。
【００８８】
まず、１０：００に電子ファイルがユーザＡによって紙文書Ｐ１及び紙文書Ｐ２として２部印刷された（Ｓ３１、Ｓ３２）。１０：１０に紙文書Ｐ２がユーザＡによって紙文書Ｐ３にコピーされ、紙文書Ｐ３はユーザＣの手に渡った（Ｓ３３）。１０：２０に紙文書Ｐ２はユーザＡによってスキャンされ電子化された（Ｓ３４）。１１：００に紙文書Ｐ３がユーザＣによってスキャンされ電子化された（Ｓ３５）。１１：３０に紙文書Ｐ１がユーザＢによって紙文書Ｐ４にコピーされ、紙文書Ｐ４はユーザＤの手に渡った（Ｓ３６）。１１：４０に紙文書Ｐ４がユーザＤによって紙文書Ｐ５にコピーされた（Ｓ３７）。
【００８９】
このように、ツリー構造によって視覚的に分かり易く表示することで、ユーザに紙文書の流通経路を的確に把握させることができる。なお、図１４のイメージ図は用紙視点の流通状況を表している。
【００９０】
流通経路の解析結果は、図１５に示されるように表示させてもよい。図１５は流通経路の解析結果の他の表示例を示すイメージ図である。図１５のイメージ図は図１４に係る流通経路の解析結果と同一のものを異なる視点から表示させたものである。すなわち、図１４は流通経路の解析結果を用紙による媒介に視点を置いた表示例である。図１５は流通経路の解析結果をユーザによる媒介に視点を置いた表示例に相当する。なお、図１５におけるステップ番号（Ｓ３１〜Ｓ３７）は、図１４のステップ番号に対応する。
【００９１】
図１４及び図１５に示されるように、流通経路の解析結果はツリー構造を有する。したがって、追跡ログ管理部１２による解析結果は、例えば、ＸＭＬ（eXtensible Markup Language）によって表現するとよい。
【００９２】
続いて、前述した図８のステップＳ２２１における流通経路の解析処理の詳細について説明する。例えば、追跡サーバ１０の記憶装置に図１６に示されるような追跡ログが蓄積されている場合を例として説明する。
【００９３】
図１６は流通経路の解析処理を説明するための追跡ログの例を示す図である。図１６の追跡ログは図１４及び図１５に示した解析結果の基となる追跡ログである。従って、図１６における各追跡ログには、図１４及び図１５において対応するステップ番号が付されている。
【００９４】
なお、本実施例では、コピーの際、そのスキャン処理と印刷処理とで別個に追跡ログが生成される。したがって、図１４等のステップＳ３３におけるコピー操作に対応する追跡ログとしては、スキャン処理に対する追跡ログＳ３３ｓと印刷処理に対する追跡ログＳ３３ｐが蓄積されている。ステップＳ３６及びＳ３７におけるコピー操作に対しても同様である。また、図１６中の矢印は時間軸を表す。すなわち、図１６中では追跡ログが時系列に並べられている。
【００９５】
図１６のような追跡ログが蓄積されている場合において、紙文書Ｐ４が流通経路の解析対象とされた場合を考える。この場合、ユーザによって解析指示された文書の紙識別子が解析リクエストに含まれて追跡サーバ１０の追跡ログ管理部１２へ送信される。解析リクエストを受け取った追跡ログ管理部１２は、追跡ログ保管部１３に保存されている追跡ログの中から、解析リクエストに含まれている紙識別子と強い相関を示す紙紋データを持つ追跡ログを検索する。
【００９６】
図１６における追跡ログの中では、追跡ログ３６ｐと追跡ログＳ３７ｓに記録されている紙紋［チ］と［リ］とが、解析リクエストに含まれている紙識別子と強い相関を示すはずである。追跡ログＳ３６ｐの紙紋［チ］は紙文書Ｐ４がコピー先として印刷される際に紙文書Ｐ４の用紙より検出されたものである。追跡ログＳ３７ｓの紙紋［リ］は紙文書Ｐ４がコピー元としてスキャンされる際に紙文書Ｐ４の用紙より検出されたものである。
【００９７】
なお、紙紋は、同一の用紙の同一の箇所から検出されたものであっても、検出のたびに異なるものになる。但し、同一の用紙の同一の箇所から検出された紙紋同士は、相互相関関数にかけると極めて強い相関を示す（参考文献１参照）。
【００９８】
したがって、同一の紙文書Ｐ４の用紙の同一の箇所から検出された、解析リクエストに含まれている紙識別子と、紙紋［チ］及び［リ］とは、完全には一致しなくても極めて強い相関を示すのである。なお、相関の強さによって用紙の異同を識別する場合、その判断基準は、例えば「相関ピークが０．６以上ならば同一紙とみなす」というように所定の閾値に基づいて定めればよい。
【００９９】
解析リクエストが、「来歴」の解析である場合、まず、紙文書Ｐ４を出力（印刷）することになった処理に係る追跡ログＳ３６ｐに記録されている画像ＩＤ「００５」と同一の画像ＩＤを有する追跡ログを時系列的に遡る方向に検索する。この場合、追跡ログＳ３６ｓの画像ＩＤが「００５」であり、一致する。なお、来歴とは、紙文書が、どこを流通してきたかを示すものである。
【０１００】
したがって、更に遡るため、追跡ログＳ３６ｓに記録されている紙紋［ト］（図１４より紙紋［ト］は紙文書Ｐ１の用紙より検出された紙紋に相当する。）と強い相関を示す紙紋を有する追跡ログを時系列的に遡る方向に検索する。そうすると、紙文書Ｐ１が電子ファイルから印刷された際に、その用紙より検出された紙紋［イ］を有する追跡ログＳ３１に辿り着き、「紙文書Ｐ４は、電子ファイルからＡが印刷してできた紙文書Ｐ１をＢがコピーして生成されたものである。」という事実（流通経路）が判明する。
【０１０１】
解析リクエストが、例えば「流通先」の解析である場合は、紙文書Ｐ４が生成された後に発生した処理に係る追跡ログＳ３７ｓを時系列的に下る方向に辿っていけばよい。図１６の例では、追跡ログ３７ｐの画像ＩＤが、追跡ログＳ３７ｓの画像ＩＤと同じであることから「紙文書Ｐ４はユーザＤによってコピーされ、その処理は成功して紙紋［ヌ］を持つ用紙が発生した。」という事実（流通経路）が判明する。流通先とは、紙文書が、どこへ流通していったかを示すものである。
【０１０２】
解析リクエストが、例えば「来歴」及び「流通先」を含めて関連する用紙すべての流通経路を解析することであれば、紙文書Ｐ４を基点に時系列的に前後の追跡ログを同様の方法で全て辿っていくことで、図１４又は図１５に示したような解析結果が得られる。
【０１０３】
図１６を用いて説明した処理を一般化すると、図１７のフローチャートのように示すことができる。図１７は流通経路の解析処理を表した一例のフローチャートである。すなわち、図８のステップＳ２２１において、週通経路解析部１２は図１７に示されるような処理を実行する。
【０１０４】
まず、解析リクエストに含まれている紙紋と強い相関を示す紙紋が記録されている追跡ログを検索する（Ｓ２０９１）。追跡ログが検索された場合（Ｓ２０９２でＹｅｓ）、検索された追跡ログに記録されている情報を解析結果としての流通経路に追加する（Ｓ２０９３）。続いて、検索された追跡ログの操作種別を判定する（Ｓ２０９４）。
【０１０５】
操作種別が「Ｐｒｉｎｔ（ｃｏｐｙ）」（コピージョブにおける印刷処理）である場合、要求されている解析内容が来歴である場合は（Ｓ２０９５で「来歴」）、検索された追跡ログに記録されている画像ＩＤと同一の画像ＩＤが記録されている追跡ログを時系列的に遡る方向に検索する（Ｓ２０９６）。この場合、コピー元の用紙を検索する必要があり、本実施例においてコピー元とコピー先とは画像ＩＤによって関連付けられている為である。
【０１０６】
一方、要求されている解析内容が流通先である場合は（Ｓ２０９５で「流通先」）、検索された追跡ログに記録されている紙紋と高い相関を示す紙紋が記録されている追跡ログを時系列的に下る方向に検索する（Ｓ２０９７）。この場合、コピーされた用紙に対して更なるスキャン（コピーも含む）が実行されているとすれば、当該用紙の紙紋が記録された追跡ログが存在するはずだからである。なお、要求されている解析内容が来歴及び流通先の双方である場合は、検索された追跡ログについてステップＳ２０９５において分岐する処理の双方が実行される。ステップＳ２０９６又はステップＳ２０９７において追跡ログが検索された場合（Ｓ２０９２でＹｅｓ）、検索された各追跡ログについて上述したステップＳ２０９３以降の処理が再帰的に繰り返される。
【０１０７】
また、ステップＳ２０９４において、操作種別が「Ｓｃａｎ（ｃｏｐｙ）」（コピージョブにおけるスキャン処理）である場合、要求されている解析内容が来歴である場合は（Ｓ２０９８で「来歴」）、検索された追跡ログに記録されている紙紋と高い相関を示す紙紋が記録されている追跡ログを時系列的に遡る方向に検索する（Ｓ２０９９）。一方、要求されている解析内容が流通先である場合は（Ｓ２０９８で「来歴」）、検索された追跡ログに記録されている画像ＩＤと同一の画像ＩＤが記録されている追跡ログを時系列的に下る方向に検索する（Ｓ２１００）。なお、要求されている解析内容が来歴及び流通先の双方である場合は、検索された追跡ログについてステップＳ２０９８において分岐する処理の双方が実行される。ステップＳ２０９９又はステップＳ２１００において追跡ログが検索された場合（Ｓ２０９２でＹｅｓ）、検索された各追跡ログについて上述したステップＳ２０９３以降の処理が再帰的に繰り返される。
【０１０８】
なお、ステップＳ２０９２において追跡ログが一つも検索されなかった場合（Ｓ２０９２でＮｏ）、又は、ステップＳ２０９４において検索された追跡ログの操作種別が「Ｓｃａｎ」（コピーを伴わない単なるスキャン）、若しくは「Ｐｒｉｎｔ」（コピーを伴わない単なる印刷）である場合は、処理対象となっている追跡ログの流通経路の解析は終了する。
【０１０９】
上述したように、追跡ログ記録システム１及び情報追跡システム２によれば、紙文書に形成された情報（コンテンツ）ではなく、その情報が紙文書に形成される前から用紙自体に備わった識別情報（紙紋）に基づいて紙文書の流通経路を解析する。したがって、ある紙文書に関して、それがどのプリンタで印刷され、どの複合機でコピーされ、どのスキャナでスキャンされたか、などという文書の流通経路を用紙単位で的確に把握することができる。したがって、ユーザは紙による情報漏洩事件の分析や抑止ができると共に、今まで携わった文書について流通状況を把握できる。
【０１１０】
なお、上記の説明では、各用紙を識別するための用紙に予め備わった特徴量として紙紋を用いる例を説明したが、各用紙を適切に識別できる情報であれば、他の情報を用いてもよい。例えば、金属繊維のパターンがランダムに漉き込まれた用紙や、一意性が保証されたデータを持つＲＦＩＤが埋め込まれているような用紙が使われる環境であれば、当該パターンや当該ＲＦＩＤを用紙の識別子として用いても良い。この場合、流通経路の解析時には相互相関関数を使う必要はなく、単に同一の識別子を持つ追跡ログを検索するようにすればよい。
【０１１１】
本実施例における追跡ログ記録システム１及び情報追跡システム２によれば、ユーザは自分が携わった文書（電子、紙）について流通状況を容易に把握できる。また、本実施例における追跡ログ記録システム１及び情報追跡システム２は既に登録されている追跡ログからユーザの携わった文書に関する流通状況を分析できるようにしたものである。
【０１１２】
また、本実施例における追跡ログ記録システム１及び情報追跡システム２では、既に登録されている追跡ログからユーザ単位で文書一覧を検索でき、更にユーザ単位で検索した文書一覧から元が同じ文書を削除できる。
【０１１３】
本実施例における追跡ログ記録システム１及び情報追跡システム２は、既に登録されている追跡ログに対して、ユーザを一意に特定できる識別子を用いて、そのユーザに関連する追跡ログを検索する。なお、検索した追跡ログには経路を辿ると元が同じ文書の追跡ログが複数存在する。
【０１１４】
検索した追跡ログが複数存在する場合は、日時が一番古い物を残し、他の追跡ログを削除する。残った追跡ログに基づき文書一覧を作成し、ユーザに提示する。また、本実施例における追跡ログ記録システム１及び情報追跡システム２は文書の流通状況を解析する為の情報も文書一覧から取得し、その情報を元に、既に登録されている追跡ログを検索することができる。
【０１１５】
従って、本実施例における追跡ログ記録システム１及び情報追跡システム２はユーザが自分の携わった文書の流通状況を知ることにより、その文書の伝達先や伝達範囲を把握することができ、その文書の有用性（役立ち度）等を認識できる。
【０１１６】
本発明は、具体的に開示された実施例に限定されるものではなく、特許請求の範囲から逸脱することなく、種々の変形や変更が可能である。
【図面の簡単な説明】
【０１１７】
【図１】文書流通把握システムの一実施例の構成図である。
【図２】記録ステップを実現する追跡ログ記録システムの一例のブロック図である。
【図３】追跡ログ記録システムによる追跡ログ記録処理を説明する一例のシーケンス図である。
【図４】追跡ログ記録システムによる追跡ログ記録処理を説明する一例のシーケンス図である。
【図５】スキャン処理に係る追跡ログの一例を示す構成図である。
【図６】印刷処理に係る追跡ログの一例を示す構成図である。
【図７】追跡ステップを実現する情報追跡システムの一例のブロック図である。
【図８】情報追跡システムによる情報追跡処理を説明するためのシーケンス図である。
【図９】追跡ログ保管部に保存されている追跡ログの一例を表した構成図である。
【図１０】図９の追跡ログからユーザＡに関連する追跡ログを検索して抽出した例を表した構成図である。
【図１１】追跡ログ管理部が行う文書一覧生成処理の一例を示すフローチャートである。
【図１２】２重ログチェック処理の一例を示すフローチャートである。
【図１３】ユーザＡが今まで携わった文書を表した文書一覧のイメージ図である。
【図１４】流通経路の解析結果の表示例を示すイメージ図である。
【図１５】流通経路の解析結果の他の表示例を示すイメージ図である。
【図１６】流通経路の解析処理を説明するための追跡ログの例を示す図である。
【図１７】流通経路の解析処理を表した一例のフローチャートである。
【符号の説明】
【０１１８】
１    追跡ログ記録システム
２    情報追跡システム
１０    追跡サーバ
１１，２４，３６    通信部
１２    追跡ログ管理部
１３    追跡ログ保管部
２０    クライアントＰＣ
２１    ユーザＩ／Ｆ部
２２    利用者識別部
２３    追跡処理部
３０，３０ｂ〜３０ｅ    複合機
３０ａ    プリンタ
３１    ジョブ制御部
３２    操作情報収集部
３３，３３ａ，３３ｂ    スキャン部
３４    印刷部
３５    追跡ログ作成部
４０ａ〜４０ｅ    紙文書
３３１，３３１ａ，３３１ｂ    画像読取部
３３２，３３２ａ，３３２ｂ    紋検出部
３４１    画像描画部
３４２    紙紋検出部
【図１】
2009100225.tif 000003
【図２】
2009100225.tif 000004
【図３】
2009100225.tif 000005
【図４】
2009100225.tif 000006
【図５】
2009100225.tif 000007
【図６】
2009100225.tif 000008
【図７】
2009100225.tif 000009
【図８】
2009100225.tif 000010
【図９】
2009100225.tif 000011
【図１０】
2009100225.tif 000012
【図１１】
2009100225.tif 000013
【図１２】
2009100225.tif 000014
【図１３】
2009100225.tif 000015
【図１４】
2009100225.tif 000016
【図１５】
2009100225.tif 000017
【図１６】
2009100225.tif 000018
【図１７】
2009100225.tif 000019